【事件の表示】
　特許第２７２５６２９号「固体撮像装置」の特許に対する特許異議の申立てについて、次のとおり決定する。
【結論】
　訂正を認める。
　特許第２７２５６２９号の特許を維持する。
【理由】
（１）手続の経緯
　本件特許第２７２５６２９号発明は、平成３年１０月２５日付けで実用新案登録出願された実願平３−８７６７４号を平成７年４月６日付けで特許出願に変更したものであって、平成９年１２月５日にその特許の設定登録がなされ、その後近藤千賀子より特許異議の申立てがなされ、平成１１年３月８日付けで取消理由通知がなされ、その指定期間内である平成１１年５月１７日に訂正請求がなされたものである。
（２）訂正の適否についての判断
ア．訂正の内容
＊訂正事項ａ
　特許請求の範囲の請求項１を「パッケージ内に設けた固体撮像素子と、該パッケージ内に組み付けられ、該固体撮像素子の有効画素の上方に光入射を許容する開口部が形成されたフレア防止板を有する固体撮像装置において、上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする固体撮像装置。」と訂正する。
＊訂正事項ｂ
　明細書の段落【０００５】における「そこで、本発明は、固体撮像素子の有効画素の上方に、光入射を許容する開口部が形成されたフレア防止板を備えて成る固体撮像装置において、上記フレア防止板の開口部が上記固体撮像素子側に向けて拡開するように内壁面を傾斜させたことを、その解決手段としている。」を「そこで、本発明は、パッケージ内に設けた固体撮像素子と、該パッケージ内に組み付けられ、該固体撮像素子の有効画素の上方に光入射を許容する開口部が形成されたフレア防止板を有する固体撮像装置において、上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする。」と訂正する。
＊訂正事項ｃ
　明細書の段落【００１２】における「以上、実施例について説明したが、本発明は、これに限定されるものではなく、構成の要旨、即ち、固体撮像素子の有効画素の上方に、光入射を許容する開口部が形成されたフレア防止板を備えて成る固体撮像装置において、上記フレア防止板の開口部が上記固体撮像素子側に向けて拡開するように内壁面を傾斜させたものであれば、その開口部の加工方法，寸法等は、適宜変更可能である。」を「以上、実施例について説明したが、本発明は、これに限定されるものではなく、構成の要旨、即ち、固体撮像素子の有効画素の上方に、光入射を許容する開口部が形成されたフレア防止板を備えて成る固体撮像装置において、上記フレア防止板の開口部がその一表面側からエッチングすることにより上記固体撮像素子側に向けて拡開するように内壁面を傾斜させたものであれば、その開口部の寸法等は、適宜変更可能である。」と訂正する。
イ．訂正の目的の適否、新規事項の有無及び拡張・変更の存否
　上記訂正事項ａは、請求項１における、「固体撮像素子」がパッケージ内に設けられ、「フレア防止板」がパッケージ内に組み付けられ点を限定するとともに、「フレア防止板の開口部」について、「フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜している」点を限定するものであるから、特許請求の範囲の減縮に該当し、願書に添付した明細書に記載した事項の範囲内のものであり（明細書の段落【０００８】、【０００９】及び図１乃至３参照）、実質的に特許請求の範囲を拡張又は変更するものではない。
　上記訂正事項ｂ及びｃは、請求項１が訂正されたことに伴い特許請求の範囲の記載と発明の詳細な説明の記載との整合を図るためのための訂正であり、願書に添付した明細書に記載した事項の範囲内のものであり、不明りょうな記載の釈明を目的としたものである。
ウ．独立特許要件の判断
（本件発明）
　訂正明細書の請求項１に係る発明は、その特許請求の範囲の請求項１に記載された次のとおりのものである。
「パッケージ内に設けた固体撮像素子と、該パッケージ内に組み付けられ、該固体撮像素子の有効画素の上方に光入射を許容する開口部が形成されたフレア防止板を有する固体撮像装置において、上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする固体撮像装置。」（以下本件発明という。）
（引用例）
　訂正明細書の本件発明に対して、当審が平成１１年３月８日付けの取消理由で引用した実願昭６３−６９２６６号のマイクロフィルム（実開平１−１７２７８８号）（以下、「引用例１」という。）には、光反射防止構造を持つ、固体撮像素子の取付装置が第１乃至４図とともに開示されている。同号証の第５頁第１５行〜第６頁第７行には、「以下，この考案の一実施例を第１図〜第４図によって説明する。・・・ここで，この第１の金具２は，第１図，第２図に示すように，その光路開口部側周縁部のプリズム１に面する側に，鋭角なエッジ２ａを設け，かつ光路開口部寸法１を固体撮像素子５に面する側の光路開口部寸法よりもΔ１だけ狭くしているため，このエッジ２ａによって固体撮像素子５側の周縁部は影になり，有害な反射光が固体撮像素子５に再入射するのを防止できる。」と記載されている。
　同じく引用した特開昭６４−１３８８６号公報（以下、「引用例２」という。）には、固体撮像素子の取付装置が第１乃至５図とともに開示されている。同号証の第３頁右上欄第１６行〜同第１９行には、「なお，第４図に示すように，第１の金具２の光路開口部２ａを変形させれば，光学マスク１０の機能をはたすため，光学マスク１０を省くこともできる。」と記載されている。
　更に引用した特開昭６３−１２０４６４号公報（以下、「引用例３」という。）には、固体撮像装置が第１乃至２図とともに開示されている。同号証の第１頁右下欄第２０行〜第２頁左上欄第１９行には、「第２図はかかる周知の固体撮像装置の縦断面図である。・・・。光シールド板６０は一般にフレア防止用として光学窓板７もしくは外囲器本体内部に粘着されており、本来入射すべきでない光の入射を防止するために設けられる。」と記載されている。
（対比・判断）
　本件発明と引用例１乃至３記載の発明とを対比すると、引用例１乃至２記載の発明には、本件発明の必須の構成要件である、「パッケージ内に設けた固体撮像素子と、該パッケージ内に組み付けられ、該固体撮像素子の有効画素の上方に光入射を許容する開口部が形成されたフレア防止板を有する」点及びフレア防止板の開口部が、「フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜している」点については記載も示唆も認められない。また引用例３記載の発明には、「パッケージ内に設けた固体撮像素子と、該パッケージ内に組み付けられ、該固体撮像素子の有効画素の上方に光入射を許容する開口部が形成されたフレア防止板を有する」点は記載されているが本件発明の必須の構成要件である、フレア防止板の開口部が、「フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜している」点については記載も示唆も認められない。
　そして、本件発明は、上記の点の構成をとることにより、明細書記載の作用効果を奏するものである。
　したがって、本件発明が引用例１又は２に記載された発明と同一発明であるとも、引用例１乃至３に記載された発明に基いて当業者が容易に発明をすることができたものとも認めることはできない。
　よって、本件発明は特許出願の際独立して特許を受けることができない発明であるとすることはできない。
エ．むすび
　以上のとおりであるから、上記訂正請求は、特許法第１２０条の４第２項及び同条第３項で準用する特許法第１２６条第２から４項の規定に適合するので、当該訂正を認める。
（３）特許異議の申立てについての判断
ア．申立ての理由の概要
　申立人は、甲第１号証として実願昭６３−６９２６６号のマイクロフィルム（実開平１−１７２７８８号）（「引用例１」に相当）、甲第２号証として特開昭６４−１３８８６号公報（「引用例２」に相当）及び甲第３号証として特開昭６３−１２０４６４号公報（「引用例３」に相当）を提示して訂正前の請求項１に係る発明は、甲第１又は２号証に記載された発明であって本件発明に係る特許は、特許法第２９条第１項第３号の規定に違反してなされたものであり、また本件発明は、甲第１乃至３号証に記載された発明に基いて当業者が容易に発明をすることができたものであって本件発明に係る特許は、特許法第２９条第２項の規定に違反してなされたものであるから、特許を取り消すべきものと主張している。
イ．判断
　申立人が甲第１乃至３号証として引用したものは、（２）ウの項で検討した引用例１乃至３と同一のものであり、（２）ウの対比・判断の項で述べたと同様の理由により、本件発明が甲第１又は２号証に記載された発明と同一発明であるとも、本件発明が甲第１乃至３号証に記載された発明に基いて当業者が容易に発明をすることができたものとも認めることはできない。
　また、他に本件特許を取り消すべき理由を発見しない。
　よって、結論のとおり決定する。
【異議決定日】
平成１１年１０月２８日（１９９９．１０．２８）
【訂正の要旨】
訂正の要旨
＊訂正事項ａ
　特許請求の範囲の減縮を目的として、特許請求の範囲の請求項１を「パッケージ内に設けた固体撮像素子と、該パッケージ内に組み付けられ、該固体撮像素子の有効画素の上方に光入射を許容する開口部が形成されたフレア防止板を有する固体撮像装置において、上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする固体撮像装置。」と訂正する。
＊訂正事項ｂ
　不明りょうな記載の釈明を目的として、明細書の段落【０００５】における「そこで、本発明は、固体撮像素子の有効画素の上方に、光入射を許容する開口部が形成されたフレア防止板を備えて成る固体撮像装置において、上記フレア防止板の開口部が上記固体撮像素子側に向けて拡開するように内壁面を傾斜させたことを、その解決手段としている。」を「そこで、本発明は、パッケージ内に設けた固体撮像素子と、該パッケージ内に組み付けられ、該固体撮像素子の有効画素の上方に光入射を許容する開口部が形成されたフレア防止板を有する固体撮像装置において、上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０゜ないし４５゜で傾斜していることを特徴とする。」と訂正する。
＊訂正事項ｃ
　不明りょうな記載の釈明を目的として、明細書の段落【００１２】における「以上、実施例について説明したが、本発明は、これに限定されるものではなく、構成の要旨、即ち、固体撮像素子の有効画素の上方に、光入射を許容する開口部が形成されたフレア防止板を備えて成る固体撮像装置において、上記フレア防止板の開口部が上記固体撮像素子側に向けて拡開するように内壁面を傾斜させたものであれば、その開口部の加工方法，寸法等は、適宜変更可能である。」を「以上、実施例について説明したが、本発明は、これに限定されるものではなく、構成の要旨、即ち、固体撮像素子の有効画素の上方に、光入射を許容する開口部が形成されたフレア防止板を備えて成る固体撮像装置において、上記フレア防止板の開口部がその一表面側からエッチングすることにより上記固体撮像素子側に向けて拡開するように内壁面を傾斜させたものであれば、その開口部の寸法等は、適宜変更可能である。」と訂正する。
（５４）【発明の名称】
固体撮像装置
（５７）【特許請求の範囲】
　【請求項１】　パッケージ内に設けた固体撮像素子と、該パッケージ内に組み付けられ、該固体撮像素子の有効画素の上方に光入射を許容する開口部が形成されたフレア防止板を有する固体撮像装置において、
　上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする固体撮像装置。
【発明の詳細な説明】
　【０００１】
　【産業上の利用分野】
　この発明は、固体撮像装置に関し、フレア防止機能の高いフレア防止板を備えた固体撮像装置に係わる。
　【０００２】
　【従来の技術】
　従来、この種の固体撮像装置としては、図３に示すようなものが知られている。同図中、Ａは個体撮像装置であり、絶縁性材料で形成されたパッケージ１内にＣＣＤチップ２を固設し、所定のワイヤ３で配線されている。このＣＣＤチップ２の上方には、ステンレス製のフレア防止板４が設けられ、さらに、その上方には、封止ガラス５が設けられている。フレア防止板４は、図４に示すように、ＣＣＤチップ２の有効画素領域に対応する位置に開口部が形成されている。
　【０００３】
　【発明が解決しようとする課題】
　しかしながら、このような従来の固体撮像装置においては、フレア防止板４に開口部を形成する方法として上下両表面からのエッチング（ウエットエッチング）を同時に行なうものであるため、上下両表面のエッチングマスクのズレや、僅かなエッチング条件の違いで、図５に示すような開口面４Ａの形状は変化してしまう。このような、フレア防止板４の開口面４Ａの断面形状の変化に伴ない、フレア防止板４のパッケージ１への取付け位置，フレア防止板４の向き等によってフレア特性が左右される問題があった。また、このような開口面４Ａの断面形状を勘案して、取付ける向きを決めるなどの作業努力を要請されるため、作業性に大きな問題があった。特に、フレア防止板４の開口面４Ａに入射した光は、その断面形状に起因して不当な反射を起こし、ＣＣＤチップ２の有効画素領域に入射して、ＣＣＤの画像を乱すなどフレア特性を悪化させる問題を有している。
　【０００４】
　本発明は、このような従来の問題点に着目して創案されたものであって、フレア特性を向上し、フレア防止板取付けの作業性を高める固体撮像装置を得んとするものである。
　【０００５】
　【課題を解決するための手段】
　そこで、本発明は、パッケージ内に設けた固体撮像素子と、該パッケージ内に組み付けられ、該固体撮像素子の有効画素の上方に光入射を許容する開口部が形成されたフレア防止板を有する固体撮像装置において、
　上記フレア防止板の開口部は、フレア防止板材料の一表面のみにマスクをパターニングし、該マスクをパターンとして上記一表面側からエッチングにより上記固体撮像素子側に向けて拡開され、内壁面が拡開角度２０°ないし４５°で傾斜していることを特徴とする。
　【０００６】
　【作用】
　フレア防止板の開口部が固体撮像素子側に向けて拡開しているため、開口部の内壁面に入射した光が固体撮像素子の有効画素領域に入射するのを防止する。このため、固体撮像装置のフレア特性は向上する。
　【０００７】
　【実施例】
　以下、本発明に係る固体撮像装置の詳細を図面に示す実施例に基づいて説明する。
　【０００８】
　図１及び図２は、本発明の実施例を示している。本実施例に係る固体撮像装置は、パッケージ（図示省略する）内に設けたＣＣＤ素子１１の上方にフレア防止板１２，封止ガラス（図示省略する）等を設ける構成は、上記した従来例と同様である。本実施例においては、ＣＣＤ素子１１の有効画素領域１１Ａに対応して開口させたフレア防止板１２の開口部を、下方に向けて拡開して形成し、開口部の内壁面である開口面をテーパ状に形成する。
　【０００９】
　なお、本実施例においては、厚さ０．２ｍｍのフレア防止板１２の表面のみにレジストマスクをパターニングして、これをマスクとしてエッチングを行なうことにより、下方に向けて拡開する開口部を得ることができた。図２に示す拡開角度（θ）は２０°〜４５°の範囲で、上側方より入射する光をＣＣＤ素子の有効画素領域１１Ａに入射しないようにできる。このように、本実施例においては、パッケージ上部から入射する斜め方向からの光りがフレア防止板１２の開口面で反射してＣＣＤ素子の有効画素領域１１Ａに入射することが防止できるため、ＣＣＤの画像にシミ状の画像が生ずる弊害を防止出来る。
　【００１０】
　また、斯かるフレア防止板１２をパッケージに取付ける場合は、開口径の大きい面を下向きにして、有効画素領域１１Ａの平面形状（縦横）に留意して組み付けるだけでよいため、従来のような確実性の小さい煩雑な作業を行なう必要がなくなる。このため、製品の歩留まりを向上することができる。
　【００１１】
　なお、本実施例の他の構成は従来例と同様である。
　【００１２】
　以上、実施例について説明したが、本発明は、これに限定されるものではなく、構成の要旨、即ち、固体撮像素子の有効画素の上方に、光入射を許容する開口部が形成されたフレア防止板を備えて成る固体撮像装置において、上記フレア防止板の開口部がその一表面側からのからエッチングすることにより上記固体撮像素子側に向けて拡開するように内壁面を傾斜させたものであれば、その開口部の寸法等は、適宜変更可能である。
　【００１３】
　【発明の効果】
　以上の説明から明らかなように、本発明によれば、ＣＣＤ素子への不当な光入射を防止でき、フレア特性を向上できる効果を有する。
　【００１４】
　また、本発明においては、フレア防止板の取付け作業性を向上できる効果がある。
【図面の簡単な説明】
　【図１】
　本発明の実施例の断面図。
　【図２】
　本発明の実施例の部分拡大断面図。
　【図３】
　従来の固体撮像装置の断面図。
　【図４】
　従来のフレア防止板の斜視図。
　【図５】
　従来のフレア防止板の部分断面図。
　【符号の説明】
１１…ＣＣＤ素子
１１Ａ…有効画素領域
１２…フレア防止板
１２Ａ…開口面